(57)【特許請求の範囲】
【請求項１】
酸化剤と反応することで発熱する遷移金属を収容する発熱部と、
前記発熱部の遷移金属に酸化剤を供給する酸化剤供給手段と、
内部に液体を貯留し且つ前記発熱部からの熱を受熱することで生成されるスチームを吹き出すスチーム発生部と、
を備え、
前記酸化剤供給手段は、前記遷移金属内に挿入される供給管を備え、この供給管を通じて供給管の周囲の遷移金属に酸化剤が供給されることを特徴とする髪ケア装置。
【請求項２】
請求項１に記載の髪ケア装置であって、
前記発熱部から前記スチーム発生部への熱伝達量を減少させることが可能な熱伝達量調整手段を、更に備えることを特徴とする髪ケア装置。
【請求項３】
請求項２に記載の髪ケア装置であって、
複数のスチーム発生部を備え、
前記複数のスチーム発生部毎に対応して、前記熱伝達量調整手段を備えることを特徴とする髪ケア装置。
【請求項４】
請求項１ないし３のいずれか１項に記載の髪ケア装置であって、
前記発熱部と前記スチーム発生部とは、いずれか一方が内側でいずれか他方が外側に位置して、互いに嵌合していることを特徴とする髪ケア装置。
【発明の詳細な説明】
【技術分野】
【０００１】
本発明は、髪ケア装置に関する。
【背景技術】
【０００２】
特許文献１に開示される従来の髪ケア装置としてのヘアドライヤーは、吸込口および吹出口を有する風洞ケースと、風洞ケース内に配置された送風用ファンと、風洞ケース内の吹出口近傍に配置され且つ吹出口に向けて複数の小孔が開口するスチーム生成管と、スチーム生成管の外周に巻かれたヒータと、風洞ケースの握り部内に配置されスチーム生成管に導水管を介して接続された水タンクと、を備えて構成されている。
【０００３】
この特許文献１のヘアドライヤーによれば、スイッチをＯＮして送風ファンとヒータとを作動させると、吸込口から吸い込まれた空気は、ヒータにより加熱されて吹出口から熱風として吹き出される。この熱風により、霧吹き現象と同様に水タンク内の水は導水管を上昇してスチーム生成管に送られる。スチーム生成管に送られた水は、当該スチーム生成管の外周に巻装されたヒータによって加熱されてスチームになり、スチーム生成管から吹き出されて、熱風とともに吹出口から吹き出される。そのため、スチームを含んだ熱風が得られるため、整髪を容易にすることができる。
【特許文献１】実開昭４７−１６３０６公報
【発明の開示】
【発明が解決しようとする課題】
【０００４】
しかしながら、前記従来の髪ケア装置にあっては、ヒータがスチーム生成管に外装されているため、スチーム生成管が必要以上に加熱されることとなってしまい、スチームが過多になってしまう場合がある。
【０００５】
本発明は、このような従来技術をもとに為されたものであって、スチーム発生部からのスチーム発生量を調整できる髪ケア装置の提供も目的とする。
【課題を解決するための手段】
【０００６】
請求項１に記載の発明は、髪ケア装置であって、酸化剤と反応することで発熱する遷移金属を収容する発熱部と、前記発熱部の遷移金属に酸化剤を供給する酸化剤供給手段と、内部に液体を貯留し且つ前記発熱部からの熱を受熱することで生成されるスチームを吹き出すスチーム発生部と、を備え、前記酸化剤供給手段は、前記遷移金属内に挿入される供給管を備え、この供給管を通じて供給管の周囲の遷移金属に酸化剤が供給されることを特徴とするものである。
【０００７】
請求項２に記載の発明は、請求項１に記載の髪ケア装置であって、前記発熱部から前記スチーム発生部への熱伝達量を減少させることが可能な熱伝達量調整手段を、更に備えることを特徴とするものである。
【０００８】
請求項３に記載の発明は、請求項２に記載の髪ケア装置であって、複数のスチーム発生部を備え、前記複数のスチーム発生部毎に対応して前記熱伝達量調整手段を備えることを特徴とするものである。
請求項４に記載の発明は、請求項１ないし３のいずれか１項に記載の髪ケア装置であって、前記発熱部と前記スチーム発生部とは、いずれか一方が内側でいずれか他方が外側に位置して、互いに嵌合していることを特徴とするものである。
【０００９】
なお、本発明の髪ケア装置は、例えばヘアドライヤー、ヘアアイロン、ヘアブラシに限らず、その他の髪ケア装置に利用することができる。
【００１０】
例えば、髪ケア装置がヘアドライヤーである場合には、吸込口および吹出口を有する風洞ケースと、前記風洞ケース内に配置されたファンと、を備え、前記スチーム発生部および前記発熱部および前記酸化剤供給手段を前記風洞ケース内または外に配置することで適用できる。
【００１１】
また、髪ケア装置がヘアアイロンである場合には、互いに回転自在に装着されて挟持自在に設けられた一対の胴部と、前記一対の胴部の挟持面において毛髪を挟み込んで加熱する一対のアイロン板と、を備え、前記一対の胴部の少なくとも一方に、前記スチーム発生部および前記発熱部および前記酸化剤供給手段を配置し、当該一方の胴部の前記アイロン板またはアイロン板の近傍に前記スチーム発生部のスチーム吹出口を設けることで適用できる。
【００１２】
また、髪ケア装置がヘアブラシである場合には、胴部と、前記胴部に固定され毛髪をブラッシング自在なブラシ部と、を備え、胴部に前記スチーム発生部および前記発熱部および前記酸化剤供給手段を配置し、ブラシ部またはブラシ部の近傍位置に前記スチーム発生部のスチーム吹出口を設けることで適用できる。
【００１３】
また、前記熱伝達量調整手段としては以下のような構成してもよい。
【００１４】
タイプ１：  前記熱伝達量調整手段は、前記発熱部と前記スチーム発生部との対向面間に介在する袋状部材と、前記袋状部材内に流体に注入または袋状部材内から前記流体を抽出自在な流体シリンダと、を備える構成とすることができる。なお、このタイプ１において、前記熱伝達量調整手段は、前記発熱部または前記スチーム発生部の温度を検出する温度検出手段（温度センサ）と、前記温度検出手段の検出結果に基づいて温度が高くなるほど前記袋状部材内に流体を多く流し込み且つ温度が低くなるほど袋状部材内から流体を引き抜くように前記流体シリンダのピストンを駆動する駆動手段と、をさらに備える構成としてもよい。
【００１５】
タイプ２：  前記熱伝達量調整手段は、前記流体シリンダが、ピストンを隔てた一方の部屋が前記スチーム発生部の熱を受熱可能で且つ熱膨張率の大きな第１の流体を収容するとともに、前記ピストンを隔てた他方の部屋が前記袋状部材と連通し且つ第１の流体よりも熱膨張の小さな第２の流体を収容する構成とすることができる。つまり、タイプ２の流体シリンダの一方の部屋が、タイプ１の温度検出手段および駆動手段として機能することとなる。
【００１６】
タイプ３：  前記熱伝達量調整手段は、前記発熱部と前記スチーム発生部との対向面間に介在する袋状部材と、前記袋状部材を押圧して前記発熱部と前記スチーム発生部との対向面間の距離を変更する押圧部と、前記押圧部を駆動する駆動手段と、を備える構成とすることができる。
【００１７】
タイプ４：  前記熱伝達量調整手段は、前記発熱部と前記スチーム発生部との対向面に形成される窓の開度を変更自在なシャッターと、前記シャッターを駆動する駆動手段と、を備える構成とすることができる。なお、このタイプ４において、前記スチーム発生部または前記発熱部の温度を検出する温度検出手段をさらに備え、前記温度検出手段の検出結果に基づいて前記シャッターの開度を制御する構成としてもよい。
【発明の効果】
【００１８】
請求項１に記載の発明によれば、酸化剤供給手段から酸化剤の供給量を調整することで、発熱部の発熱量を調整できるため、スチーム発生部の加熱量が過剰になることを防止できる。
【００１９】
請求項２に記載の発明によれば、請求項１に記載の発明の効果に加え、熱伝達量調整手段によって、発熱部からスチーム発生部への熱伝達量を減少させることができるため、発熱部が過度に高熱になってしまった場合やスチーム発生部が過度に高熱になりそうな場合に、加熱を抑制して、スチーム発生部が過剰に加熱されてしまうことを確実に防止することができる。
【００２０】
請求項３に記載の発明によれば、請求項２に記載の発明の効果に加え、複数のスチーム発生部毎に対応して熱伝達量調整手段を備えるため、より精度の高い温度調整が可能となる。
請求項４に記載の発明によれば、発熱部とスチーム発生部とを互いに嵌合した構造であるため、発熱部とスチーム発生部との熱伝達面積（接触面積）を広く保つことができ、スチーム発生部を早く加熱できるとともに、エネルギー効率に優れる。
【発明を実施するための最良の形態】
【００２１】
以下、本発明の実施形態を図面を参照しつつ説明する。
【００２２】
（第１実施形態）図１は本発明の第１実施形態にかかる髪ケア装置としてのヘアドライヤーを示す図である。図１（ａ）は第１実施形態の髪ケア装置としてのヘヤドライヤーの断面図であり、図１（ｂ）は同ヘアドライヤーのスチーム発生部の正面図である。
【００２３】
（構成）
本実施形態にかかる髪ケア装置としてのドライヤー１は、送風ユニット２と、当該送風ユニット２に固定的または回転自在に取り付けられたグリップ部４と、を備えて構成されている。
【００２４】
送風ユニット２は、略円筒状の風洞ケース３内に、ファンユニット５と、発熱部７および酸化剤供給手段８からなるヒータ６と、スチーム発生部９と、が配置されて構成されている。風洞ケース３は、内部に送風路としての風洞を備え、その上流端には吸込口３ｂが開口し、下流端に吹出口３ｃが開口している。
【００２５】
この風洞ケース３の吸込口３ｂの近傍には、ファンユニット５が設けられている。ファンユニット５は、風洞ケース３にリブなどの支持部によって固定されたファンモータ５ｍと、ファンモータ５ｍの出力軸に取り付けられてファンモータ５ｍによって回転駆動するファン５ｆと、を備えて構成されている。
【００２６】
ファンユニット５の下流側（この例では風洞ケース３の吹出口３ｃ）には、風洞ケース３の略径方向中央部にヒータ６と、スチーム発生部９と、が配置されている。
【００２７】
スチーム発生部９はリブなどの支持部によって風洞ケース３に固定されており、このスチーム発生部９の内周側にヒータ６が嵌合されている。
【００２８】
ヒータ６は、発熱部７および酸化剤供給手段８を備えて構成されるもので、発熱部７は酸化剤と反応することで発熱する遷移金属を収容しており、また、酸化剤供給手段８は、発熱部７の遷移金属に対して酸化剤を供給するものである。この実施形態では、酸化剤供給手段８は手動エアポンプ８であり、酸化剤として周囲の空気（酸素を含む）を利用する。この手動エアポンプ８は、ベローズ（鞴）２１と、ベローズ２１に接続され発熱部７内に挿入されている供給管２３と、を備えて構成されている。供給管２３の周壁には複数の小孔が開口しており、ベローズ２１をポンピングすると、供給管２３を通じて供給管２３の周囲の遷移金属に空気が供給される。発熱部７の遷移金属は、空気が供給されると発熱し、当該発熱部７と接触するスチーム発生部９を加熱する。
【００２９】
スチーム発生部９の内部には、液体を貯留可能な液体貯留室１１が設けられ、液体貯留室１１にはスチーム発生部９外に露出するスチーム吹出口１３が形成されている。このスチーム吹出口１３は液体の通過を阻止するとともにスチームを通過を許容するフィルタ部材（透湿防水シート）で覆われている。
【００３０】
液体貯留室１１は、発熱部７からの熱を受熱可能な位置に配置されており、発熱部７の熱により液体貯留室１１内の液体が沸騰すると、液体貯留室１１内でスチームが発生し、このスチームがスチーム吹出口１３から外部に吹き出されることとなる。
【００３１】
なお、スチーム発生部９の外周部には、液体を注水可能な注水部としての注水部１５が固定されており、この注水部１５は、液体貯留室１１に連通している。注水部１５の開口部は栓１７で開閉自在となっており、当該注水部１５を通じて液体貯留室１１液体の補充が可能となっている。
【００３２】
また、発熱部７は、スチーム発生部９に対して取り外し自在に嵌合されたカートリッジ式であって、スチーム発生部９から容易に取り外することができるようになっている。そのため、使用済みの発熱部７を取り外して他の発熱部７に取り替えたり、使用済みの発熱部７を取り外して還元反応して、繰り返し使用することができるようになっている。
【００３３】
（作用）
次に、本実施形態のヘアドライヤー１の作用を説明する。
【００３４】
まず、酸化剤供給手段としてのエアポンプ８により発熱部７に空気を送り込む。すると、発熱部７が発熱し、発熱部７に接するスチーム発生部９が加熱されて、当該スチーム発生部９内の液体が沸騰し、しばらくすると、スチーム吹出口１３からスチームが吹き出される。
【００３５】
次に、ヘアドライヤー１のグリップ部４に設けられた図示せぬスイッチを操作して、ファンユニット５を作動させると、風洞ケース３の吸込口３ｂから空気が吸い込まれて吹出口３ｃから吹き出される。このとき、吹出口３ｃに設けられたスチーム吹出口１３からスチームが噴射されているため、加湿された送風を、毛髪に吹き付けることができる。これにより、加湿された空気を利用して、整髪を容易とすることができる。
【００３６】
このとき、スチーム発生部９の加熱量は、酸化剤供給手段としてのエアポンプ８からの酸化剤供給量（空気供給量）によって調整できるため、スチーム発生部９からのスチーム発生量を制御できる。
【００３７】
（効果）
次に、本実施形態の髪ケア装置としてのヘアドライヤー１の効果を列挙する。
【００３８】
（１）本実施形態の髪ケア装置としてのヘアドライヤー１は、酸化剤と反応することで発熱する遷移金属を収容する発熱部７と、前記発熱部７の遷移金属に酸化剤を供給する酸化剤供給手段８と、内部に液体を貯留し且つ前記発熱部７からの熱を受熱することで生成されるスチームを吹き出すスチーム発生部９と、を備える。そのため、酸化剤供給手段８からの酸化剤供給量（空気供給量）を調整することで、スチーム発生部９の加熱量を容易に調整でき、スチーム発生部９のスチーム発生量を調整できる。
【００３９】
（２）また本実施形態では、発熱部７はスチーム発生部９に対して取り外し自在に嵌合されたカートリッジ式である。そのため、スチーム発生部９から容易に取り外することができ、使用済みの発熱部７を未使用の発熱部７に取り替えたり、使用済みの発熱部７を取り外して還元反応して、繰り返し使用することが容易となる。
【００４０】
（３）また本実施形態では、酸化剤供給手段８が手動エアポンプであるため、構造が簡素で電力を必要としないため、製造コストならびにランニングコストを低減できる。
【００４１】
（４）また本実施形態では、円筒状のスチーム発生部９内に円柱状の発熱部７を嵌合した構造であるため、スチーム発生部９と発熱部７との熱伝達面積（接触面積）を広く保つことができ、スチーム発生部９を早く加熱できるとともに、エネルギー効率に優れる。
【００４２】
次に、他の実施形態について説明する。なお、以下の説明において既に説明した構成については同一符号を付して、重複する説明を省略する。
【００４３】
（第２実施形態）
図２〜４は第２実施形態の髪ケア装置を示す図である。図２は第２実施形態の髪ケア装置としてのヘアアイロン１００の斜視図、図３は同ヘアアイロン１００の側面図、図４は図３中のＸ−Ｘ断面図である。
【００４４】
本実施形態の髪ケア装置はヘアアイロン１００である点で、第１実施形態のヘアドライヤー１と異なる。本実施形態のヘアアイロン１００は、図２、３に示すように、ピボット部１０９を介して互いに回転自在に装着されて挟持自在に設けられた一対の胴部１０１、１０３と、前記一対の胴部１０１、１０３の挟持面において髪を挟み込んで加熱する一対のアイロン板１０１ｂ、１０３ｂと、備えて構成され、一方の胴部１０１の内部に、アイロン板１０１ｂを加熱するための図示せぬヒータが配置されている。
【００４５】
また一方の胴部１０１内部には、図４に示すように、発熱部７および酸化剤供給手段としての手動エアポンプ８からなるヒータ６と、スチーム発生部９と、が取り付けられている。ヒータ６は、第１実施形態と同様にスチーム発生部９内に嵌合されており、スチーム発生部９のスチーム吹出口１３が、アイロン板１０１ｂの近傍に開口するスチーム吹出口１０５を通じて胴部１０１の外部に露出するようになっている。
【００４６】
次に第２実施形態のヘアアイロン１００の使用方法を説明する。
【００４７】
このような第２実施形態のヘアアイロン１００の使用時には、胴部１０１の側面に設けられたスイッチ１０７により図示せぬアイロン板加熱用ヒータを作動させてアイロン板１０１ｂを加熱した状態で、一対の胴部１０１、１０３で髪を挟み込みながら巻き取って、髪にウエーブをかけたり癖毛を直したりする。
【００４８】
必要に応じて、酸化剤供給手段としての手動エアポンプ８によって空気を発熱部７に供給して発熱部７を加熱して、スチーム発生部９からスチームを発生される。すると、一対の胴部１０１、１０３に巻き取った髪に対してスチームを吹き出すことができ、髪を加湿しながら髪にウエーブをかけたり癖毛を直したりできるため、整髪が容易となる。
【００４９】
このような第２実施形態のヘアアイロン１００によれば、第１実施形態の髪ケア装置と同様に、酸化剤と反応することで発熱する遷移金属を収容する発熱部７と、前記発熱部７の遷移金属に酸化剤を供給する酸化剤供給手段８と、内部に液体を貯留し且つ前記発熱部７からの熱を受熱することで生成されるスチームを吹き出すスチーム発生部９と、を備えるため、酸化剤供給手段８からの酸化剤供給量（空気供給量）を調整することで、スチーム発生部９のスチーム発生量を容易に調整できることとなる。
【００５０】
（第３実施形態）
図５は第３実施形態の髪ケア装置を示す図である。図５（ａ）は第２実施形態の髪ケア装置としてのヘアブラシ２００の正面図、図５（ｂ）は同ヘアブラシ２００の断面図である。
【００５１】
本実施形態の髪ケア装置はヘアブラシ２００である点で、第１、２実施形態と異なる。
【００５２】
本実施形態のヘアブラシ２００は、使用者が把持可能な胴部２０１と、胴部２０１に固定され毛髪をブラッシング自在なブラシ部（ブリッスル部）２０３と、を備えて構成されている。
【００５３】
胴部２０１内には、スチーム発生部９と、発熱部７と酸化剤供給手段８Ｂとからなるヒータ６と、が配置されている。胴部１０１のうちブラシ部２０３の中央部には開口２０７が設けられており、この開口２０７からスチーム発生部９のスチーム吹出口１３が胴部１０１外に露出している。この実施形態でも第１、第２実施形態と同様に、スチーム発生部９と発熱部７とは接触しており、発熱部７が発熱すると、スチーム発生部９が加熱されて、スチームが吹き出されるようになっている。なお、この実施形態では、酸化剤供給手段が電動エアポンプ８Ｂであって、例えば内蔵電池（一次電池または二次電池）で駆動する。
【００５４】
次に第３実施形態のヘアブラシ２００の使用方法を説明する。
【００５５】
胴部２０１の側面には設けられたスイッチ２０５をＯＮすると、酸化剤供給手段としての電動エアポンプ８Ｂから発熱部７に空気が送られる。発熱部７は供給された空気の量に応じて発熱し、これによりスチーム発生部９が加熱される。そして、加熱されたスチーム発生部９は温度上昇に応じてスチーム吹出口１３からスチームを吹き出す。この状態で、ヘアブラシ２００によって、毛髪にブラッシングをかけると、スチームが毛髪に噴霧されるため、整髪が容易となる。
【００５６】
このような本実施形態のヘアブラシ２００によれば、第１、２実施形態の髪ケア装置と同様に、酸化剤と反応することで発熱する遷移金属を収容する発熱部７と、前記発熱部７の遷移金属に酸化剤を供給する酸化剤供給手段８Ｂと、内部に液体を貯留し且つ前記発熱部７からの熱を受熱することで生成されるスチームを吹き出すスチーム発生部９と、を備えるため、酸化剤供給手段８Ｂからの酸化剤供給量（空気供給量）を調整することで、スチーム発生部９のスチーム発生量を容易に調整できることとなる。
【００５７】
また本実施形態によれば、酸化剤供給手段８Ｂが電動エアポンプ８Ｂであるため、酸化剤の供給が容易となる利点がある。
【００５８】
（第４実施形態）
図６〜８は本発明の第４実施形態にかかる髪ケア装置を示す図である。図６は第４実施形態の髪ケア装置としてのヘヤドライヤーの断面図であり、図７は同ヘアドライヤーのスチーム発生部の近傍の正面図、図８は同スチーム発生部の近傍の拡大断面図であり、図８（ａ）はスチーム発生部９の温度が低い状態を示し、図８（ｂ）はスチーム発生部９の温度が高い状態を示す。
【００５９】
本実施形態のヘアドライヤー１Ｂは、温風生成用の電熱線ヒータ３１を備えて、温風を吹き出すことができる点で第１実施形態のヘアドライヤー１と異なる。また、第１実施形態のヘアドライヤー１では、円筒形状のスチーム発生部９の内周側に円柱形状の発熱部７を嵌合していたが、本実施形態では、円筒形状の発熱部７の内周側に円柱形状のスチーム発生部９が収められている点で、逆になっている。
【００６０】
そして、本実施形態では、発熱部７からスチーム発生部９への熱伝達量を減少させることが可能な熱伝達量調整手段をさらに備える点で、上述の第１〜第３実施形態の髪ケア装置とは異なる。
【００６１】
以下、主として熱伝達量調整手段について説明する。
【００６２】
本実施形態の熱伝達量調整手段は、発熱部７とスチーム発生部９との対向面間に介在する袋状部材３３と、袋状部材３３内に流体Ｌ２に注入または袋状部材３３内から前記流体Ｌ２を抽出自在な流体シリンダ３５と、を備えて構成されている。
【００６３】
そして、流体シリンダ３５が、ピストンＰを隔てた一方の部屋３５ａがスチーム発生部９の熱を受熱可能で且つ熱膨張率の大きな第１の流体Ｌ１を収容するとともに、前記ピストンＰを隔てた他方の部屋３５ｂが袋状部材３３の内部と連通し且つ第１の流体Ｌ１よりも熱膨張の小さな第２の流体Ｌ２（なお、この例では流体Ｌ２はほとんど熱膨張がない）を収容して構成されている。
【００６４】
そのため、スチーム発生部９の温度が上昇すると、その熱を流体シリンダ３５の一方の部屋３５ａが受熱して当該一方の部屋３５ａの温度が上昇し、図８（ａ）→図８（ｂ）に示すように、一方の部屋３５ａの内部の封入された第１の流体Ｌ１が膨張して、ピストンＰを押し出す（図８（ｂ）中の矢印参照）。これにより、他方の部屋３５ｂ内の流体Ｌ２が袋状部材３３内に注入される。
【００６５】
すると、図８（ｂ）に示すように、発熱部７とスチーム発生部９との対向面間の間隔が広くなり、これにより、発熱部７からスチーム発生部９への熱伝達量が減少する。
【００６６】
逆に、スチーム発生部９の温度が低下すると、流体シリンダ３５の一方の部屋３５ａも温度が低下し、図８（ｂ）→図８（ａ）に示すように、一方の部屋３５ａの内部の封入された第１の流体Ｌ１が収縮する。これにより、ピストンＰが押し戻されて（図８（ｂ）中の矢印とは逆向き）、袋状部材３３内に注入された第２の流体Ｌ２が、他方の部屋３５ｂ内に引き戻され、発熱部７とスチーム発生部９との間隔が狭くなり、これにより、発熱部７からスチーム発生部９への熱伝達量が増加する。
【００６７】
このように、第４実施形態のヘアケア装置によれば、さらに熱伝達量調整手段を備えるため、当該熱伝達量調整手段によって、発熱部７からスチーム発生部９への熱伝達量を減少させることができるため、スチーム発生部９が過度に高熱になりそうな場合に、加熱量を抑えて、スチーム発生部９が過剰に加熱されてしまうことを確実に防止することができる。
【００６８】
（変形例）
なお、第４実施形態では、流体シリンダ３５の一方の部屋３５ａが、スチーム発生部９の温度を検出する温度検出手段と、前記温度検出手段の検出結果に基づいて温度が高くなるほど前記袋状部材３３内に流体を多く流し込み且つ温度が低くなるほど袋状部材３３内から流体を引き抜くように前記流体シリンダ３５のピストンＰを駆動する駆動手段と、として機能している。
【００６９】
本発明では、第４実施形態の流体シリンダ３５の一方の部屋３５ａを廃止し、別途、スチーム発生部の温度を検出する温度検出手段（温度センサ）と、前記温度検出手段の検出結果に基づいて温度が高くなるほど前記袋状部材内に流体を多く流し込み且つ温度が低くなるほど袋状部材内から流体を引き抜くように前記流体シリンダのピストンを駆動する駆動手段（制御部を有するアクチュエータ）と、を備える構造（電子制御）としてもよい。
【００７０】
（第５実施形態）
図９は本発明の第５実施形態にかかる髪ケア装置の熱伝達量調整手段を説明するための図である。なお、図９（ａ）はスチーム発生部９の温度が低い状態を示し、図９（ｂ）はスチーム発生部９の温度が高い状態を示す。
【００７１】
本実施形態の髪ケア装置の熱伝達量調整手段は、発熱部７とスチーム発生部９との対向面間に介在する袋状部材３３と、袋状部材３３を押圧して発熱部７とスチーム発生部９との対向面間の距離を変更する押圧部４１ａと、前記押圧部４１ａを駆動する駆動手段４１と、を備えて構成されるものである。
【００７２】
本実施形態では、熱膨張率の大きいロッド部材４１が「駆動手段」となり、このロッド部材４１の先端部４１ａが「押圧部」となっている。つまり、ロッド部材４１は、スチーム発生部９内を貫通し、当該スチーム発生部９内の液体と接触して当該液体の熱を受熱可能に配置されている。
【００７３】
そのため、スチーム発生部９の温度が上昇すると、ロッド部材４１は、図９（ａ）→図９（ｂ）に示すように、長手方向に膨張して伸長し、押圧部としてのロッド部材４１の先端部４１ａが袋状部材３３を内側から押圧して、図９（ｂ）に示すように発熱部７とスチーム発生部９との対向面間の間隔を広くし、発熱部７からスチーム発生部９への熱伝達量を減少させるように作用する。
【００７４】
逆に、スチーム発生部９の温度が低下すると、ロッド部材４１は、図９（ｂ）→図９（ａ）に示すように、長手方向に伸縮して、図９（ａ）に示すように発熱部７とスチーム発生部９との対向面間の間隔を狭くし、発熱部７からスチーム発生部９への熱伝達量を増加させる。
【００７５】
このように、第５実施形態のヘアケア装置によれば、第４実施形態と同様に、さらに熱伝達量調整手段を備えるため、当該熱伝達量調整手段によって、発熱部７からスチーム発生部９への熱伝達量を減少させることができるため、スチーム発生部９が過度に高熱になりそうな場合に、さらなる加熱を抑制して、スチーム発生部９が過剰に加熱されてしまうことを確実に防止することができる。
【００７６】
（変形例）
なお、第５実施形態では、ロッド部材４１が、スチーム発生部９の温度を検出する温度検出手段と、前記温度検出手段の検出結果に基づいて温度が高くなる発熱部７とスチーム発生部９との距離が大きくなるようにする駆動手段と、として機能しているが、本発明では、第５実施形態のロッド部材４１を廃止し、別途、スチーム発生部の温度を検出する温度検出手段（温度センサ）と、前記温度検出手段の検出結果に基づいて温度が高くなる発熱部７とスチーム発生部９との距離が大きくなるようにする押圧部を駆動する駆動手段（制御部を有するアクチュエータ）と、を備える構造（電子制御）としてもよい。
【００７７】
以下の第６実施形態は、その電子制御による構造である。
【００７８】
（第６実施形態）
図１０、１１は本発明の第６実施形態にかかる髪ケア装置の熱伝達量調整手段を説明するための図である。図１０（ａ）（ｂ）は熱伝達量調整手段の正面図、図１１は熱伝達量調整手段の側面図である。
【００７９】
つまり、図１０、１１に示す第７実施形態の髪ケア装置の熱伝達量調整手段は、発熱部７とスチーム発生部９との対向面間に介在する袋状部材３３と、袋状部材３３を押圧して発熱部７とスチーム発生部９との対向面間の距離を変更する半円筒状に形成された押圧部４５と、前記押圧部４５をカム４７を介して駆動する駆動手段（電動モータ４９）と、を備えて構成されるものである。電動モータ４９は、制御部５１により制御されて、スチーム発生部９の温度を検出する図示せぬ温度検出手段（温度センサ）の検出結果に基づいて温度が高くなるにつれて発熱部７とスチーム発生部９との距離が大きくなるように駆動される。
【００８０】
このような第６実施形態の熱伝達量調整手段によっても、上記実施形態の熱伝達量調整手段と同様の効果が得られる。
【００８１】
なお、図１０（ａ）はスチーム発生部９の温度が低い状態を示し、図１０（ｂ）はスチーム発生部９の温度が高い状態を示す。
【００８２】
（第７実施形態）
図１２、１３は本発明の第７実施形態にかかる髪ケア装置の熱伝達量調整手段を説明するための図である。図１２は熱伝達量調整手段の断面図、図１１は熱伝達量調整手段のシャッターを示す側面図である。
【００８３】
第７実施形態の髪ケア装置の熱伝達量調整手段は、発熱部７とスチーム発生部９との対向面間に形成される窓５３ａを開閉自在とするシャッター５５と、前記シャッター５５を駆動する駆動手段としての電動モータ５７と、スチーム発生部９の温度を検出する温度検出手段としての温度センサ５９と、温度センサ５９の検出結果に基づいて電動モータ５７を介して前記シャッター５５の開度を制御する制御部１６と、を備えて構成されている。
【００８４】
つまり、発熱部７とスチーム発生部９との間には、複数の窓５３ａが開口する円筒状の窓枠５３と、この窓枠５３と略同一形状に形成された複数の窓５５ａが開口する円筒状のシャッター５５と、が配置されており、このうちシャッター５５が、電動モータ５７で回転自在になっている。シャッター５５の回転角によって、窓枠５３の窓５３ａと、シャッター５５の窓５５ａと、の重なり面積が変化して、窓５３ａの開度が調整される。この実施形態では、窓枠５３の窓５３ａを全閉にすることができ、窓枠５３の窓５３ａが全閉されると、発熱部７からのスチーム発生部９への熱伝達量をほぼ零にすることができる。
【００８５】
このような第７実施形態の熱伝達量調整手段によっても、上記実施形態の熱伝達量調整手段と同様の効果が得られる。
【００８６】
（第８実施形態）
図１４〜１６は本発明の第８実施形態にかかる髪ケア装置のスチーム発生部と発熱部と熱伝達量調整手段との関係を示す図である。図１４（ａ）は第８実施形態のスチーム発生部と発熱部と熱伝達量調整手段とを組み合わせたユニットの正面図、図１４（ｂ）は図１４（ａ）の側面図、図１５は熱伝達量調整手段のシャッターの全閉状態を示す図であって、図１５（ａ）は正面図、図１５（ｂ）は側面図、図１６は同シャッターの全開状態を示す図であって、図１６（ａ）は正面図、図１６（ｂ）は側面図である。
【００８７】
この第８実施形態の髪ケア装置にあっては、図１４（ａ）に示すように、複数のスチーム発生部９を備え、当該複数のスチーム発生部９ごとに対応して、熱伝達量調整手段が設けられている。そのため、第８実施形態の髪ケア装置によれば、スチーム発生部９をより高い精度で温度調整ができる利点がある。
【００８８】
そして、第８実施形態の熱伝達量調整手段は、発熱部７とスチーム発生部９との対向面間に形成される窓６３を開閉自在とする平板状のシャッター６５と、前記シャッター６５を駆動する駆動手段としての図示せぬ電動モータと、スチーム発生部９の温度を検出する温度検出手段としての温度センサ６７と、温度センサ６７の検出結果に基づいて電動モータを介して前記シャッター６５の開度を制御する図示せぬ制御部と、を備えて構成されている。このような第９実施形態の熱伝達量調整手段によれば、シャッター６５の位置によって、図１５に示すように窓６３に全閉でき、発熱部７からのスチーム発生部９への熱伝達量をほぼ零にすることができ、第７実施形態の熱伝達量調整手段と同様の効果が得られる。
【００８９】
以上のように、本発明の髪ケア装置は、酸化剤と反応することで発熱する遷移金属を収容する発熱部と、前記発熱部の遷移金属に酸化剤を供給する酸化剤供給手段と、内部に液体を貯留し且つ前記発熱部からの熱を受熱することで生成されるスチームを吹き出すスチーム発生部と、を備えて構成されるため、酸化剤供給手段からの酸化剤供給量によって、スチーム発生部の加熱量を調整でき、スチーム発生部のスチーム発生量を調整できる。
【００９０】
なお本発明の髪ケア装置は上述の実施形態に例をとって説明したが、これら実施形態に限定解釈されるべきではなく本発明の要旨を逸脱しない範囲で他の実施形態を採用することができる。例えば、上述の実施形態では、酸化剤はいずれも空気であったが、その他の酸化剤を利用することができる。また、上述の実施形態では、熱伝達量調整手段の温度センサは、いずれもスチーム発生部の温度を検出するものであったが、発熱部の温度を検出するものであってもよい。また、上述の実施形態では、ヘアドライヤー、ヘアアイロン、ヘアブラシを例示して説明したが、本発明はその他の髪ケア装置にも利用することができる。
【図面の簡単な説明】
【００９１】
【図１】図１は本発明の第１実施形態の髪ケア装置としてのヘアドライヤーを示す断面図。
【図２】図２は本発明の第２実施形態の髪ケア装置としてのヘアアイロンを示す斜視図。
【図３】図３は同ヘアアイロンの側面図。
【図４】図４は図３中のＸ−Ｘ断面図。
【図５】図５は第３実施形態の髪ケア装置としてのヘアブラシを示す図であって、図５（ａ）は正面図、図５（ｂ）は断面図。
【図６】図６は本発明の第４実施形態の髪ケア装置としてのヘアドライヤーを示す断面図。
【図７】図７は同ヘアドライヤーのスチーム発生部の近傍の正面図。
【図８】図８は同ヘアドライヤーのスチーム発生部および発熱部に付設された熱伝達量調整手段を説明するための断面図であって、図８（ａ）はスチーム発生部の低温時を示し、図８（ｂ）はスチーム発生部の高温時を示す図。
【図９】図９は本発明の第５実施形態の髪ケア装置のスチーム発生部および発熱部に付設された熱伝達量調整手段を説明するための断面図であって、図９（ａ）はスチーム発生部の低温時を示し、図９（ｂ）はスチーム発生部の高温時を示す図。
【図１０】図１０は本発明の第５実施形態の髪ケア装置のスチーム発生部および発熱部に付設された熱伝達量調整手段を説明するための正面図であって、図１０（ａ）はスチーム発生部の低温時を示し、図１０（ｂ）はスチーム発生部の高温時を示す図。
【図１１】図１１は第５実施形態の熱伝達量調整手段の概略構造を示す側面図。
【図１２】図１２は本発明の第６実施形態の髪ケア装置のスチーム発生部および発熱部に付設された熱伝達量調整手段を説明するための断面図。
【図１３】図１３は第６実施形態の熱伝達量調整手段のシャッターを示す側面図。
【図１４】図１４は本発明の第７実施形態の髪ケア装置のスチーム発生部および発熱部に付設された熱伝達量調整手段を説明するための断面図であって、図１４（ａ）は正面図、図１４（ｂ）は側面図。
【図１５】図１５は第７実施形態の熱伝達量調整手段のシャッターの全閉状態を示す概略図であって、図１５（ａ）は正面図、図１５（ｂ）は側面図。
【図１６】図１６は第７実施形態の熱伝達量調整手段のシャッターの全開状態を示す概略図であって、図１６（ａ）は正面図、図１６（ｂ）は側面図。
【符号の説明】
【００９２】
１…ヘアドライヤー（髪ケア装置）
１Ｂ…ヘアドライヤー（髪ケア装置）
６…ヒータ
７…発熱部
８…手動エアポンプ（酸化剤供給手段）
８Ｂ…電動エアポンプ（酸化剤供給手段）
９…スチーム発生部
１３…スチーム吹出口
１００…ヘアアイロン（髪ケア装置）
２００…ヘアブラシ（髪ケア装置）
【図１】
0004950839.tif 000002
【図２】
0004950839.tif 000003
【図３】
0004950839.tif 000004
【図４】
0004950839.tif 000005
【図５】
0004950839.tif 000006
【図６】
0004950839.tif 000007
【図７】
0004950839.tif 000008
【図８】
0004950839.tif 000009
【図９】
0004950839.tif 000010
【図１０】
0004950839.tif 000011
【図１１】
0004950839.tif 000012
【図１２】
0004950839.tif 000013
【図１３】
0004950839.tif 000014
【図１４】
0004950839.tif 000015
【図１５】
0004950839.tif 000016
【図１６】
0004950839.tif 000017